(57)【要約】【課題】携行に便利で、撮影者が必要に応じて手軽にストロボ光を拡散又は減光させて撮影することが可能になるデフューザー機能を備えたレンズカバー及びカメラを提供する。【解決手段】撮影レンズ１２を保護するためのレンズカバー１６を乳白色の半透明部材で構成し、レンズカバー１６をストロボ用デフューザーとして兼用する。非撮影時にはレンズカバー１６を撮影レンズ１２の前方に配置してレンズの保護を図り、近距離撮影時などの撮影用途に応じて当該レンズカバー１６をストロボ発光器１４の前方に配置してストロボ光を拡散又は減光させる。また、レンズカバーをスライド機構などの可動機構によってカメラ本体に取り付け、レンズカバーがストロボ発光器の前方を覆うストロボ位置と、それ以外の位置とで停止できる構造にする態様もある。【選択図】　　図２
2004118139.tif 000002
【特許請求の範囲】
【請求項１】
非撮影時に撮影レンズの前方に配置され、前記撮影レンズを保護するレンズカバーであって、
撮影時にストロボ発光器の前方に配置され、前記ストロボ発光器から投射されるストロボ光を拡散又は減光させるストロボ用デフューザーとして兼用されることを特徴とするレンズカバー。
【請求項２】
前記ストロボ光を拡散する拡散板としての機能を有する半透明部材で構成されていることを特徴とする請求項１記載のレンズカバー。
【請求項３】
前記撮影レンズの前部及び前記ストロボ発光器の前部に当該レンズカバーを着脱自在に取り付けるための固定手段を具備していることを特徴とする請求項１又は２記載のレンズカバー。
【請求項４】
被写体の像を撮像面に結像させる撮影レンズと、
閃光を発生させるストロボ発光器と、
非撮影時に前記撮影レンズの前方に配置され、前記撮影レンズを保護するレンズカバーとして機能するとともに、撮影時に前記ストロボ発光器の前方に配置され、前記ストロボ発光器から投射されるストロボ光を拡散又は減光させるストロボ用デフューザーとして兼用されるレンズカバーと、
を備えたことを特徴とするカメラ。
【請求項５】
前記レンズカバーは、前記撮影レンズの前部及び前記ストロボ発光器の前部に着脱自在に取り付け可能な固定手段を具備し、
カメラ本体には、前記レンズカバーを前記ストロボ発光器の前部に取り付ける際に前記固定手段が係合される係合部が設けられていることを特徴とする請求項４記載のカメラ。
【請求項６】
前記レンズカバーは、前記撮影レンズの前方を覆う第１の位置と前記ストロボ発光器の前方を覆う第２の位置との間を移動可能な可動連結機構を介してカメラ本体に取り付けられていることを特徴とする請求項５記載のカメラ。
【請求項７】
前記撮影レンズを介して入射した被写体の光学像を電気信号に変換する撮像手段を具備していることを特徴とする請求項４、５又は６記載のカメラ。
【発明の詳細な説明】
【０００１】
【発明の属する技術分野】
本発明はレンズカバー及びカメラに係り、特にストロボ光を拡散又は減光させるデフューザー機能に関連するレンズカバー及びカメラの構造に関する。
【０００２】
【従来の技術】
近接撮影時や被写体への光の均一照射性を上げる時等にストロボ光を拡散させるためにデフューザーが使用される。デフューザーはストロボ光を拡散する材質で構成され、半透明や乳白色のものがある。
【０００３】
特開平７−９２５２７号公報には、カメラのアクセサリーシューやファインダー接眼レンズ枠に装着できる機構を備えたカメラ内蔵フラッシュ発光器用デフューザーが開示されている。同公報に開示されたデフューザーは、これを使用しない場合には拡散板を折りたたみ、拡散版をストロボ発光部前面から退避させた状態でホルダーに収納できる構造を有している。
【０００４】
また、特開平９−１９７５２５号公報に開示されたレンズ付きフイルムユニットは、紙カバー又は紙カバーの一部にストロボ光を拡散させる発光部被覆部材を備えており、この発光部被覆部材がデフューザーとして機能する。
【０００５】
また、特開平１１−３８４８０号公報には、ストロボ用減光板を備えた近接撮影用アダプターが開示されている。このアダプターは、アダプター本体に補助レンズ、ハーフミラー、減光板が一体的に取り付けられた構造を有し、カメラ装着時に減光板がストロボ発光窓の前面に配置される。減光板は、遮光性を有する樹脂からなり、該減光板には複数の穴が形成されている。減光板の作用によってストロボ光は減光される。
【０００６】
【特許文献１】
特開平７−９２５２７号公報
【０００７】
【特許文献２】
特開平９−１９７５２５号公報
【０００８】
【特許文献３】
特開平１１−３８４８０号公報
【０００９】
【発明が解決しようとする課題】
しかしながら、デフューザーを使用する撮影状況は近距離撮影などに限られており、一般的な撮影では使用しないことも多い。特許文献１や特許文献３に示された従来の着脱式デフューザーの場合、撮影者は撮影手法によってデフューザー（アダプター）を携行することになるが、これを使用しない場合には、用途がなく、持ち運びに不便な上に、紛失や破損の恐れもある。
【００１０】
また、特許文献１の構造の場合、デフューザーの取り付けに際してアクセサリーシューを使用するために、シューを使用できなくなるという欠点がある。その一方、特許文献２に開示されたレンズ付きフイルムユニットは、カメラ本体と一体であり、携行性は良いが、レンズ付きフイルムユニットという限られた用途に用いられる技術であり、一般的なカメラに適用することは困難である。
【００１１】
本発明はこのような事情を鑑みてなされたもので、携行に便利で、撮影者が必要に応じて手軽にストロボ光を拡散又は減光させて撮影することが可能になるデフューザー機能を備えたレンズカバー及びカメラを提供することを目的とする。
【００１２】
【課題を解決するための手段】
本発明は前記目的を達成するために、非撮影時に撮影レンズの前方に配置され、前記撮影レンズを保護するレンズカバーであって、撮影時にストロボ発光器の前方に配置され、前記ストロボ発光器から投射されるストロボ光を拡散又は減光させるストロボ用デフューザーとして兼用されることを特徴としている。
【００１３】
本発明によれば、撮影レンズを保護するためのレンズカバーがそのままストロボのデフューザーとして機能する。すなわち、非撮影時（撮影に使用しない時）にはレンズカバーを撮影レンズの前方に配置してレンズの保護を図り、近距離撮影時などの撮影用途に応じて当該レンズカバーをストロボ発光器の前方に配置してストロボ光を拡散又は減光させる。
【００１４】
これにより、別途デフューザー部材を携行する必要がなく、撮影者が撮影状況に応じて手軽にストロボ光を拡散又は減光させて撮影することが可能になる。
【００１５】
本発明の一態様に係るレンズカバーは、前記ストロボ光を拡散する拡散板としての機能を有する半透明部材で構成されていることを特徴としている。
【００１６】
本発明の他の態様に係るレンズカバーは、上記構成に加えて、前記撮影レンズの前部及び前記ストロボ発光器の前部に当該レンズカバーを着脱自在に取り付けるための固定手段を具備していることを特徴としている。
【００１７】
当該レンズカバーを撮影レンズの前部に取り付けるための手段と、ストロボ発光器の前部に取り付ける手段とを共通化し、同じ固定手段によって固定する構成が好ましい。
【００１８】
また、前記目的を達成するために本発明に係るカメラは、被写体の像を撮像面に結像させる撮影レンズと、閃光を発生させるストロボ発光器と、非撮影時に前記撮影レンズの前方に配置され、前記撮影レンズを保護するレンズカバーとして機能するとともに、撮影時に前記ストロボ発光器の前方に配置され、前記ストロボ発光器から投射されるストロボ光を拡散又は減光させるストロボ用デフューザーとして兼用されるレンズカバーと、を備えたことを特徴としている。
【００１９】
本発明によれば、ストロボ発光器を搭載したカメラにおいて、内蔵ストロボ用のデフューザーとして兼用されるレンズカバーを備えたので、別途、デフューザー部材を携行する必要がなく、手軽にストロボ光を拡散又は減光させて撮影することが可能になる。
【００２０】
本発明において、前記レンズカバーは、前記撮影レンズの前部及び前記ストロボ発光器の前部に着脱自在に取り付け可能な固定手段を具備し、カメラ本体には、前記レンズカバーを前記ストロボ発光器の前部に取り付ける際に前記固定手段が係合される係合部が設けられていることを特徴とする態様がある。
【００２１】
また、本発明のさらに他の態様によれば、前記レンズカバーは、前記撮影レンズの前方を覆う第１の位置と前記ストロボ発光器の前方を覆う第２の位置との間を移動可能な可動連結機構を介してカメラ本体に取り付けられていることを特徴としている。
【００２２】
可動連結機構としては、回動機構やスライド機構などがある。
【００２３】
さらにまた、本発明の他の態様に係るカメラは、前記撮影レンズを介して入射した被写体の光学像を電気信号に変換する撮像手段を具備していることを特徴としている。
【００２４】
ＣＣＤイメージセンサやＣＭＯＳイメージセンサで代表される撮像手段を用いて光学像を電子画像信号に変換して記録するカメラ（いわゆる電子カメラ）は、レンズカバーの遮光性をあまり重視する必要がないため、光透過性を有するデフューザー兼用レンズカバーを適用するのに好適である。
【００２５】
【発明の実施の形態】
以下、添付図面に従って本発明に係るレンズカバー及びカメラの好ましい実施の形態について説明する。
【００２６】
〔第１の実施形態〕
図１は本発明の第１の実施形態に係るカメラの正面図である。このカメラ１０は、光学像を電気信号に変換する撮像素子（例えば、ＣＣＤ）を備えた電子カメラである。このカメラ本体１１の正面ほぼ中央には、撮影レンズ１２が設けられており、カメラ本体１１上面にはレリーズボタン１３、ポップアップ式のストロボ発光器１４及びモード切替スイッチ１５が設けられている。
【００２７】
また、カメラ１０は、撮影レンズ１２の前部に取り付け可能なレンズカバー（レンズキャップ）１６を備えている。なお、該レンズカバー１６は、紛失防止等の観点からカメラ１０側面に結い紐１８を介して接続されている。
【００２８】
レンズカバー１６は、ストロボ発光器１４から投射されるストロボ光を拡散させる材質で構成されており、レンズ保護部材としての機能とストロボ光拡散部材としての機能を兼ね備えた部材である。すなわち、レンズカバー１６は、乳白色の半透明部材で構成されており、かつ、撮影レンズを保護し得る相応の強度を有している。
【００２９】
レンズカバー１６は、レンズ鏡胴１９の先端部に係合し得る爪１６Ａを有し、該爪１６Ａをレンズ鏡胴１９の溝部（不図示）に係合させることにより、撮影レンズ１２の前部に固定される。撮影時には、爪１６Ａの係合状態を解除してレンズカバー１６をレンズ鏡胴１９から取り外し、撮影レンズ１２の前方を開放させる。
【００３０】
レンズカバー１６の着脱機構は、上述の例に限定されず、取り付け時には適度な固定強度で固定状態が維持され、必要に応じて簡単な操作で固定状態を解除できる機構であればよい。
【００３１】
図１に示したように、ストロボ発光器１４は、これを使用しない場合にはカメラ本体１１内部に形成されたストロボ収納部１４Ａに収納される。ストロボ発光器１４は、カメラ１０がストロボ発光器１４を使用する撮影モードに設定されると自動的にカメラ本体１１の上面に露出する。なお、図示せぬストロボポップアップボタンの押下に応動して、ストロボ発光器１４をポップアップさせる構成でもよい。
【００３２】
また、ストロボ発光器１４の発光部の両脇には、レンズカバー１６の爪１６Ａが係合される係合部２２が設けられている。レンズ鏡胴１９から取り外したレンズカバー１６を図２に示すように、ストロボ発光器１４の発光部前方に取り付けることが可能である。
【００３３】
レンズカバー１６は、ストロボ発光器１４の発光部全体を覆うことができる大きさを有しており、ストロボ発光器１４から投射されるストロボ光を拡散させる拡散板としての役割を果たす。
【００３４】
上記の如く構成されたカメラ１０によれば、非撮影時に撮影レンズ１２を保護するためのレンズカバー１６をそのままストロボ用のデフューザーとして利用できるため、別途、デフューザー部材を携行する必要がなく、マクロ撮影（近距離撮影時）時など撮影用途に応じて手軽にストロボ光を拡散又は減光させて撮影を行うことができる。
【００３５】
上記実施形態の変形例として、カメラ本体１１またはレンズカバー１６に、レンズカバー１６の取り付け位置を検出するレンズカバー検出手段（不図示）を設け、レンズカバー１６の取り付け位置の検出結果の応じて、カメラ１０の動作モードを自動的に設定する制御を行う態様も可能である。
【００３６】
例えば、レンズカバー１６が着脱されるレンズ鏡胴１９の先端部及びストロボ発光器１４の発光部の少なくとも一方に、レンズカバー１６の着脱を検知するセンサを設ける。そして、前記センサからのセンサ信号に基づいて、レンズカバー１６がストロボ発光器１４の前方に配置されたことを認識したら、カメラ１０をマクロ撮影モードに自動設定する制御を行う。マクロ撮影モードに設定された場合、近距離撮影に適したフォーカス制御が行われる。
【００３７】
〔第２の実施形態〕
次に、本発明の第２の実施形態について説明する。
【００３８】
図３及び図４は本発明の第２の実施形態に係るカメラの正面図である。これらの図面中図１及び図２に示した第１の実施形態と同一又は類似する部分には同一の符号を付し、その説明は省略する。
【００３９】
図３に示したカメラ２０は、レンズ鏡胴１９を軸として、該レンズ鏡胴１９の周りに回動自在な回転板２３が設けられ、この回転板２３にヒンジ部２４を介してレンズカバー２６が連結されている。なお、レンズ鏡胴１９は、非撮影時においてカメラ本体２１内に収納可能な沈胴式構造を有している。
【００４０】
レンズカバー２６は、ヒンジ部２４を回動軸として略１８０度折り返し可能であり、非撮影時には、撮影レンズ１２の前方を覆う閉位置（図３中一点鎖線Ａで図示、以下閉位置と記載）に移動して撮影レンズ１２を保護する。
【００４１】
その一方、撮影時には、図３中符号Ｂで示したように、レンズカバー２６は撮影レンズ１２の横の退避位置Ｂ（以下開位置と記載）に移動して、撮影レンズ１２を露出させる。
【００４２】
レンズカバー２６は、図示せぬクリック係止機構又はヒンジ部２４の適度なフリクションによるストップ機構などの停止構造によって閉位置及び開位置のいずれの位置にも安定して停止させることができるようになっている。
【００４３】
ストロボ発光器１４はカメラ本体２１の前面部に内蔵されており、撮影レンズ１２のほぼ真上に位置する。なお、図３中符号２８は、ファインダー窓である。
【００４４】
回転板２３は、開位置から時計周りに略９０度回動可能であり、図４に示すようにストロボ発光器１４前面（図４中Ｃで図示、以下ストロボ位置と記載）に移動してストロボ発光器１４の発光部全体を覆うことができる。また、回転板２３は、図示せぬクリック係止機構又は適度なフリクションによるストップ機構などの停止構造によって、開位置及びストロボ位置のいずれの位置に安定して停止可能である。
【００４５】
レンズカバー２６の開閉動作及び回動動作は手動によって行ってもよいし、モータなどの電動駆動手段を用いてもよい。
【００４６】
上記の如く構成された第２の実施形態に係るカメラ２０によれば、カメラ本体２１に設けられたレンズカバー２６をそのままストロボ用のデフューザーとして利用できるので、デフューザーを携行することなく、マクロモード撮影などの際にストロボ光の拡散、減光ができ、大変便利である。
【００４７】
さらに、レンズカバー２６は常時カメラ本体２１の正面にあり、かつ、レンズカバー２６の移動機構をカメラ本体２１の正面に備えているため、簡単な操作でレンズカバー２６を所定の位置に配置することができる。また、第２の実施形態に係るカメラ２０では、第１の実施形態における結い紐１８を省略することができる。
【００４８】
上記した第２の実施形態において次の変形例が考えられる。レンズカバー２６の固定される位置を検出する手段（不図示）を設け、その検出結果により電源ＯＮ／ＯＦＦ制御と撮影モードの切り替え制御を行うことができる。
【００４９】
例えば、カメラ本体２１またはレンズカバー２６の少なくともどちらか一方にレンズカバー２６の配置を検出するセンサを設ける。前記センサはスイッチに置き換えることが可能である。
【００５０】
そのセンサ信号に基づいてレンズカバー２６の状態を判定し、レンズカバー２６が閉位置に所定の時間保持されると、カメラ２０の制御手段（例えば、図示せぬＣＰＵなどで構成される制御回路）は電源をＯＦＦにする制御を行う。なお、レンズカバー２６が閉位置に所定の時間保持された場合には電源ＯＦＦではなく、省電力モードに切り替える制御も考えられる。
【００５１】
また、レンズカバー２６が開位置に所定の時間保持されると、カメラ２０の制御手段は、電源をＯＮにする制御を行う。さらに、レンズカバーが開位置に所定の時間保持されると、前記制御手段は、前記センサ信号に基づいて撮影モードを自動撮影モードに自動設定する。自動撮影モードは、自動露出制御（ＡＥ）及び自動焦点調節制御（ＡＦ）を行って最適な撮影条件をカメラ２０が自動的に決定する撮影モードである。
【００５２】
一方、レンズカバー２６がストロボ位置に所定の時間保持されると、カメラ１０の制御手段は、撮影モードをマクロモードに自動設定する制御を行う。
【００５３】
さらにまた、レンズカバー２６を電動で駆動する手段を搭載したカメラの場合には、撮影モードの設定に応じてレンズカバー２６を移動させる制御も可能である。例えば、ユーザがマクロモードを選択する操作を行うと、自動的に電動駆動手段が作動してレンズカバー２６がストロボ位置に移動する。その一方、ユーザが自動撮影モードを選択する操作を行うと、レンズカバー２６が自動的にストロボ位置に移動するという態様がある。
【００５４】
〔第３の実施形態〕
次に、本発明の第３の実施形態について説明する。
【００５５】
図５及び図６は本発明の第３の実施形態に係るカメラの正面図である。これらの図面中図１乃至図４に示した第１及び第２の実施形態と同一又は類似する部分には同一の符号を付し、その説明は省略する。
【００５６】
図５に示したカメラ３０はカメラ本体３１の正面にヒンジ部２４が設けられており、レンズカバー２６はヒンジ部２４に取り付けられている。レンズカバー２６はヒンジ部２４を回動軸として略１８０度折り返し可能であり、図５中符号Ａ（以下閉位置と記載）と図５中符号Ｂ（以下開位置と記載）にそれぞれに停止することができる。
【００５７】
また、カメラ本体３１の正面にはスライド溝３２が設けられており、該スライド溝３２にはヒンジ部２４が上下方向に移動可能に取り付けられている。スライド溝３２はその上端と下端にヒンジ部２４を固定できるクリック係止機構（不図示）が設けられている。
【００５８】
図５に示すように、ヒンジ部２４をスライド溝３２の下端に停止させることにより、レンズカバー２６を開位置または閉位置に配置することができる。また、図６に示すようにヒンジ部２４をスライド溝３２の上端に停止させることにより、レンズカバー２６を図６中Ｃで示したストロボ位置に配置することができる。
【００５９】
すなわち、レンズカバー２６は、図５に示した閉位置Ａ、開位置Ｂあるいは図６に示したストロボ位置Ｃの３ヵ所に配置可能となっている。
【００６０】
上記の如く構成されたカメラ３０では、カメラ本体３１の正面に設けられたレンズカバー２６をそのままストロボ用のデフューザーとして利用できるので、デフューザーを携行することなく、マクロモード撮影等の際にストロボ光の拡散、減光ができ、大変便利である。
【００６１】
また、第２の実施形態と同様に、第３の実施形態に係るカメラ３０においては、レンズカバー２６は常時カメラ本体３１の正面にあり、かつ、レンズカバー２６の移動機構もカメラ本体３１の正面に備えているため、簡単な操作でレンズカバー２６を所定の位置に配置することができる。
【００６２】
また、第３の実施形態において第２の実施形態と同様に、レンズカバー２６の配置を検出する手段（不図示）を設け、その検出結果により電源ＯＮ／ＯＦＦ制御と撮影モードの切り替え制御を行うことができる。さらに、レンズカバー２６を電動駆動するための手段を付加した態様においては、撮影モードの設定に応じてレンズカバー２６の移動を制御することができる。
【００６３】
〔第４の実施形態〕
次に、本発明の第４の実施形態について説明する。
【００６４】
図７乃至図９は本発明の第４の実施形態に係るカメラの正面図である。これらの図面中図１乃至図６に示した第１、第２及び第３の実施形態と同一又は類似する部分には同一の符号を付し、その説明は省略する。
【００６５】
図７に示したカメラ４０は、カメラ本体４１の正面領域を左／中央／右の略三等分に区分けしたとすると、図７上で右部の領域に撮影レンズ１２、ファインダー窓２８、中央部にストロボ発光器１４が配設されている。なお、左部の領域は、カメラ４０を把持する際のグリップ部になる。
【００６６】
カメラ本体４１の正面にはガイド４４が形成され、ガイド４４を介してレンズカバー（レンズバリア）４６がカメラ本体４１に対してスライド自在に設けられている。レンズカバー４６は、撮影レンズ１２の前方を覆うに足る領域を有するレンズ保護部４６Ａと、ストロボ発光器１４の発光部前方を覆うに足る領域を有するデフューザー部４６Ｂとを備えている。
【００６７】
レンズ保護部４６Ａは、レンズカバーとして十分な遮光性を有し、かつ、レンズ保護部材としての機能を有する材料で構成され、撮影レンズ１２を保護し得る相応の強度を有している。
【００６８】
また、レンズカバー４６の一部に一体的に形成されたデフューザー部４４Ｂは、ストロボ発光器１４から投射されるストロボ光を拡散、減光させる機能を有する部材（例えば、乳白色の半透明部材）で構成されている。しかしながら、レンズカバーとしての遮光性をあまり重視しない電子カメラでは、レンズカバー４６全体を乳白色の半透明部材で構成することも可能である。
【００６９】
ガイド４４は、レンズカバー４６の軌道を形成する部材であり、レンズカバー４６はガイド４４に沿ってカメラ本体４１の正面右端の閉位置Ａから略中央のストロボ位置（図８中符号Ｃ）を経由して左端の開位置Ｂに至るＡ−Ｂ間を移動可能である。
【００７０】
ガイド４４に設けられた係止機構（不図示）により、レンズカバー４６は図７の閉位置Ａ、図８のストロボ位置Ｃ及び図９の開位置Ｂの３ヵ所に停止することができる。なお、前記係止機構は、カメラ本体４１あるいはレンズカバー４６に設けられていてもよい。
【００７１】
すなわち、図７に示した閉位置Ａは、レンズカバー４６が撮影レンズ１２及びストロボ発光器１４と重なる位置である。図８に示したストロボ位置Ｃは、撮影レンズ１２が露出し、かつストロボ発光器１４とデフューザー部４６Ｂとが重なる位置である。図９に示した開位置Ｂは、撮影レンズ１２が露出し、かつストロボ発光器１４とレンズカバー４６とが重ならない位置である。
【００７２】
上記の如く構成されたカメラ４０によれば、非撮影時において、図７に示すようにレンズカバー４６を閉位置Ａに配置し、撮影レンズ１２及びファイダー窓２８を保護する。また、マクロ撮影時など必要に応じて、図８に示すように、レンズカバー４６をストロボ位置Ｃに配置し、デフューザー部４６Ｂをストロボ発光器１４の前方に位置させる。これにより、ストロボ発光器１４の前部がデフューザー部４６Ｂで覆われ、デフューザー部４６Ｂの作用によってストロボ光を拡散又は減光させることができる。
【００７３】
さらにまた、デフューザーを利用しない通常の撮影を行う場合には、図９に示すように、レンズカバー４６を開位置Ｂに退避させ、撮影レンズ１２及びストロボ発光器１４をともに露出させる。
【００７４】
このように、第４の実施形態によれば、カメラ本体４１正面に取り付けられたレンズカバー４６にデフューザー部４６Ｂを一体的に形成してあるので、デフューザーを携行することなく、マクロモード撮影等の際に必要に応じてストロボ光の拡散、減光ができ、大変便利である。また、本実施の形態ではレンズカバー４６のレンズ保護部４６Ａを十分な遮光性を有する材質で構成できるので、レンズカバー本来の機能を損なわないという利点もある。
【００７５】
また、上記した第４の実施形態ではレンズカバー４６を左右にスライドさせる簡単な操作によって、レンズカバー４６を閉位置Ａ、開位置Ｂ及びストロボ位置Ｃに配置することができるので、取り扱いが容易である。
【００７６】
さらに、図７乃至図９で説明したレンズカバー４６の移動機構がスライド機構だけの単純な機構で実現でき、結果として部品点数の削減や破損防止につながる。
【００７７】
上記した第４の本実施形態において、第１、第２及び第３の実施形態と同様に、レンズカバー４６の配置を検出する手段を設け、その検出結果に基づいて電源ＯＮ／ＯＦＦ制御、撮影モード自動切り替え制御などを行う態様も可能である。
【００７８】
上述した第１乃至第４の各本実施形態では光学像を電気信号に変換する撮像素子を備えた電子カメラを例示したが、本発明の適用範囲は上述の例に限定されず、被写体像を銀塩フイルムに露光させて記録する銀塩カメラやインスタントフイルムを使用するカメラなどについても本発明を適用できる。
【００７９】
【発明の効果】
本発明によれば、撮影レンズを保護するためのレンズカバーをそのままストロボのデフューザーとして兼用する構成にしたので、撮影者は、別途デフューザー部材を携行する必要がなく、撮影状況に応じて手軽にストロボ光を拡散又は減光させて撮影することが可能である。
【図面の簡単な説明】
【図１】本発明の第１の実施形態に係るカメラの正面図
【図２】図１に示したカメラにおいてレンズカバーをストロボ用デフューザーとして使用する態様を示す図
【図３】本発明の第２の実施形態に係るカメラの正面図
【図４】図３に示したカメラにおいてレンズカバーをストロボ用デフューザーとして使用する態様を示す図
【図５】本発明の第３の実施形態に係るカメラの正面図
【図６】図５に示したカメラにおいてレンズカバーをストロボ用デフューザーとして使用する態様を示す図
【図７】本発明の第４の実施形態に係るカメラ（非撮影時）の正面図
【図８】図７に示したカメラにおいてレンズカバーをストロボ用デフューザーとして使用する態様を示す図
【図９】
図７に示したカメラにおける通常撮影時の様子を示す図
【符号の説明】
１０，２０，３０，４０…カメラ、１１，２１，３１，４１…カメラ本体、…１２…撮影レンズ、１４…ストロボ発光器、１６，２６，４６…レンズカバー、１６Ａ…爪、２２…係合部、４４…ガイド、４６Ｂ…デフューザー部、Ａ…閉位置、Ｂ…開位置、Ｃ…ストロボ位置
【図１】
2004118139.tif 000003
【図２】
2004118139.tif 000004
【図３】
2004118139.tif 000005
【図４】
2004118139.tif 000006
【図５】
2004118139.tif 000007
【図６】
2004118139.tif 000008
【図７】
2004118139.tif 000009
【図８】
2004118139.tif 000010
【図９】
2004118139.tif 000011